(57)【要約】  【課題】  精度の良いクロマキー合成が可能で、装置の奥行きサイズを小さくすることにより占有面積を小さくして小型化したクロマキー合成用背景装置、そのようなクロマキー合成用背景装置を備える写真撮影装置及びそのようなクロマキー合成用背景装置を用いた写真撮影方法を提供する。  【解決手段】  クロマキー合成用背景装置１は、背面支持部２、クロマキー用背景部３、４、光源７、９などを主要な構成とする。クロマキー用背景部３の上側部は、背面支持部２の上端部に取り付けて保持され、クロマキー用背景部４の下側部は、背面支持部２の下端部に取り付けられて保持される。クロマキー用背景部３の下端及びクロマキー用背景部４の上端は背面支持部２から延在して設けられた支持部５により相互に接合支持され、被写体側に凸状となる頂部５Ｔを形成する。【選択図】      図１
2005167351.tif 000002
【特許請求の範囲】
【請求項１】
光源と、被写体に対向するように配置されたクロマキー用背景部とを備えるクロマキー合成用背景装置において、
前記クロマキー用背景部は光源からの光を前記被写体の方向へ屈折する傾斜面又は曲面を有することを特徴とするクロマキー合成用背景装置。
【請求項２】
前記光源はクロマキー用背景部の上下左右４側部の内少なくとも一つの側部の近くに配置され、前記クロマキー用背景部は光源からの光を反射するように配置してあることを特徴とする請求項１記載のクロマキー合成用背景装置。
【請求項３】
前記光源は前記上側部及び下側部の近くにそれぞれ配置され、前記クロマキー用背景部は水平方向に延在する頂部を有することを特徴とする請求項２記載のクロマキー合成用背景装置。
【請求項４】
前記光源は前記左側部及び右側部の近くにそれぞれ配置され、前記クロマキー用背景部は垂直方向に延在する頂部を有することを特徴とする請求項２記載のクロマキー合成用背景装置。
【請求項５】
前記光源はクロマキー用背景部の被写体に対向する面と反対側に水平方向又は垂直方向に配置され、前記クロマキー用背景部は光源からの光を透過するように配置してあることを特徴とする請求項１記載のクロマキー合成用背景装置。
【請求項６】
前記光源は水平方向に延在して配置され、前記クロマキー用背景部は前記水平方向に延在する頂部を有することを特徴とする請求項５記載のクロマキー合成用背景装置。
【請求項７】
前記光源は垂直方向に延在して配置され、前記クロマキー用背景部は前記垂直方向に延在する頂部を有することを特徴とする請求項５記載のクロマキー合成用背景装置。
【請求項８】
光源と、被写体に対向するように配置されたクロマキー用背景部とを備えるクロマキー合成用背景装置において、
前記光源はクロマキー用背景部の上下左右４側部の内少なくとも一つの側部の近くに配置され、前記光源からの光を前記被写体の方向へ反射する傾斜面又は曲面を有する反射部を備えることを特徴とするクロマキー合成用背景装置。
【請求項９】
請求項１ないし８のいずれかに記載のクロマキー合成用背景装置を備えることを特徴とする写真撮影装置。
【請求項１０】
請求項１ないし８のいずれかに記載のクロマキー合成用背景装置を背景にして被写体を撮影することを特徴とする写真撮影方法。
【発明の詳細な説明】
【技術分野】
【０００１】
本発明は、光源からの光を撮影手段の方向へ屈折することにより奥行き寸法を小さくしたクロマキー合成用背景装置、そのようなクロマキー合成用背景装置を備える写真撮影装置及びそのようなクロマキー合成用背景装置を背景にした写真撮影方法に関する。
【背景技術】
【０００２】
近年ゲームセンター等の遊戯を提供する店舗において、写真を撮影してシールプリント等にする写真自動販売機（写真撮影装置）が数多く設置されている。このような写真自動販売機は、一般に利用者である被写体をカメラで撮影し、その撮影した画像（撮影画像）をタブレットディスプレイなどに表示して付属のタッチペンで文字や図形などの画像を入力する（いわゆる、お絵描き）という機能がついているものが一般的になっている。そして、入力した画像と撮影画像とは合成されて合成画像が生成され、その合成画像がプリンタで印刷され利用者に提供される。
【０００３】
これらの写真自動販売機には、被写体の撮影時の背景となる部分に、背景用にカーテンレールに懸下されている手引き式のカーテン、又はエンドレスベルト状や巻取り巻上げ式のカーテンなどが使用されている。また、ユーザは多様な写真のできあがりを求める傾向にあるため、近年は、撮影ブースの後方に配置したカーテン、パネルなどに色や模様を付加したり、様々な素材の生地を利用したりして、多様な写真を撮影することができるようにしている。さらに、物理的なカーテンではバリエーションに限度があるため、背景となるカーテン部分に青色などを施し、クロマキー合成を施すことにより、多様な背景を得るようにした写真自動販売機が登場している。
【０００４】
クロマキー（クロマキー合成）は、ある色を鍵として、その色の部分のみ他の画像と合成する処理を意味する。クロマキー合成の鍵として一般的に用いられている色は、人間の肌色と一番対極にある、青色や緑色などである。例えば青色のクロマキー用背景パネルの前に位置する被写体を撮影すると、この背景（青色のクロマキー用背景パネル）が一緒に写しこまれるので、写しこまれた青色部分を抽出し、抽出した部分を透明色にし、予め用意してある背景画像などと合成すると、被写体以外の部分に背景画像が嵌め込まれた合成画像が生成される。
【０００５】
従来の写真自動販売機では、被写体を良好な状態で撮影するために被写体の前面（カメラなどの撮影手段の側）から照射する照明装置（例えばフラッシュ光源）が多く使用されている。このため、背景部分に被写体の影ができやすく、影の部分が特定のキー色ではなくなることから、その部分が抽出されず、クロマキー合成の精度を落としてしまうという問題がある。つまり、クロマキー合成を精度よく行うには、被写体の正面側から適切な明るさの照明光が照射されていること、及び被写体の背面側に被写体自身の影の濃さを被写体の輪郭を精度よく抽出できる程度に低減又は消去可能な明るさの青色背面光が照射されることが必要になる。このような問題を解決するため、従来の写真自動販売機ではクロマキー合成用背景装置を備えて、被写体の前面を照射する照明装置とは別の光源でクロマキー用背景パネルを照明し、前面からの照明光と背面からの照明光とで照明を相殺する状態にして、被写体の周辺に生じる影をなくすことが行われている。
【０００６】
図１１はクロマキー合成用背景装置を備える従来の写真撮影装置の側面概略図である。図において１００は写真撮影装置である。１０２は、写真撮影装置１００の動作に必要な電源、制御部などの各機器を内蔵する筐体であり、構造体（骨組み、壁板、又は箱体など）で周囲を囲繞される。筐体１０２には、被写体１０４を撮影する撮影手段としてのカメラ１０６、被写体１０４を撮影する時に被写体１０４を照明するためのフラッシュ光１０８を発生するフラッシュ光源が撮影空間１１０に面して適宜の配置で設けられる。
【０００７】
被写体１０４の背面側にはクロマキー合成用背景装置１１２が配置される。クロマキー合成用背景装置１１２は、光源１１４、クロマキー用背景パネル（又はクロマキー用背景カーテン）１１６を備える。光源１１４からの背面光１１８により被写体１０４の背面が照明されることから、被写体の周囲には影が生じにくくなり、精細なクロマキー合成を行うことができる。
【０００８】
クロマキー合成用背景装置１１２では、光源１１４からの光をそのまま直線的に被写体の背面に照射することから、被写体の背面を均一に照射するには、広い面積を照射する必要があり、光源として大掛かりなものになっている。また、光源１１４からの光をできるだけ拡散させ、均一化する必要があることから、クロマキー合成用背景装置１１２の奥行き（例えば、光源１１４とクロマキー用背景パネル１１６との間隔）を長くする必要があり、例えば５０ｃｍを超える奥行きが必要となることが多い。つまり、クロマキー合成用背景装置１１２として大きな占有面積が必要であり、写真撮影装置１００の設置場所に制限が生じるなどの問題があった。
【０００９】
クロマキー合成用背景装置１１２の他に、被写体の背面から照明する方法として、所定の彩度と明度を保持する面発光体を被写体の背面及び底面に照明手段として配置した画像合成装置（写真撮影装置）が知られている（例えば特許文献１）。このような面発光体を照明手段とする場合には、背景部分に対応する大きさ（例えば、横約１．５ｍ、縦約２．２ｍ）の大きな面発光体が必要であるが、現在の技術では、製造に困難があり、コストが高くなり、また、消費電力も大きくなるという問題がある。
【００１０】
また、被写体の背面側の背景部分に対応する必要サイズの面全体で、背面光源から発生した光を一様に散乱させて面光源化する面光源化手段（照明ボックス）を備える合成画像作成装置（写真撮影装置）が知られている（例えば特許文献２）。このような照明ボックス内で、光を散乱させるような方法では、照明ボックス内部に相当な空間が必要になり、合成画像作成装置が大型化するという問題がある。
【特許文献１】特開２０００−２２４４１０号公報
【特許文献２】特開２０００−２６１８２３号公報
【発明の開示】
【発明が解決しようとする課題】
【００１１】
上述したように、従来のクロマキー合成用背景装置は大きな占有面積が必要であり大型化することから、このようなクロマキー合成用背景装置を用いた写真撮影装置も大きな占有面積が必要になり、設置場所に制限が生じるという問題があった。また、クロマキー合成用背景装置として、面発光体を用いる場合には、コストが増大し、消費電力も大きくなるという問題があった。さらに、照明ボックスを用いた場合には、照明ボックスの内部に大きな空間が必要になり、写真撮影装置が大きくなるという問題があった。
【００１２】
本発明は、斯かる問題に鑑みてなされたものであり、被写体の影を生じにくくしてクロマキー合成の精度をよくし、また、装置の奥行きサイズを小さくすることにより占有面積を小さくして小型化したクロマキー合成用背景装置を提供することを目的とする。
【００１３】
また、本発明は、被写体の背面から均一な照明光を照射することができる小型化したクロマキー合成用背景装置を備えることにより、精度のよいクロマキー合成が可能な小型化した写真撮影装置を提供することを他の目的とする。また、本発明は、被写体の背面から均一な照明光を照射することができる小型化したクロマキー合成用背景装置を背景にして被写体を撮影することにより、小型化したクロマキー合成用背景装置を用いて精度のよいクロマキー合成が可能な写真撮影方法を提供することを他の目的とする。
【課題を解決するための手段】
【００１４】
本発明に係るクロマキー合成用背景装置は、光源と、被写体に対向するように配置されたクロマキー用背景部とを備えるクロマキー合成用背景装置において、前記クロマキー用背景部は光源からの光を前記被写体の方向へ屈折する傾斜面又は曲面を有することを特徴とする。
【００１５】
本発明に係るクロマキー合成用背景装置では、前記光源はクロマキー用背景部の上下左右４側部の内少なくとも一つの側部の近くに配置され、前記クロマキー用背景部は光源からの光を反射するように配置してあることを特徴とする。
【００１６】
本発明に係るクロマキー合成用背景装置では、前記光源は前記上側部及び下側部の近くにそれぞれ配置され、前記クロマキー用背景部は水平方向に延在する頂部を有することを特徴とする。
【００１７】
本発明に係るクロマキー合成用背景装置では、前記光源は前記左側部及び右側部の近くにそれぞれ配置され、前記クロマキー用背景部は垂直方向に延在する頂部を有することを特徴とする。
【００１８】
本発明に係るクロマキー合成用背景装置では、前記光源はクロマキー用背景部の被写体に対向する面と反対側に水平方向又は垂直方向に配置され、前記クロマキー用背景部は光源からの光を透過するように配置してあることを特徴とする。
【００１９】
本発明に係るクロマキー合成用背景装置では、前記光源は水平方向に延在して配置され、前記クロマキー用背景部は前記水平方向に延在する頂部を有することを特徴とする。
【００２０】
本発明に係るクロマキー合成用背景装置では、前記光源は垂直方向に延在して配置され、前記クロマキー用背景部は前記垂直方向に延在する頂部を有することを特徴とする。
【００２１】
本発明に係るクロマキー合成用背景装置は、光源と、被写体に対向するように配置されたクロマキー用背景部とを備えるクロマキー合成用背景装置において、前記光源はクロマキー用背景部の上下左右４側部の内少なくとも一つの側部の近くに配置され、前記光源からの光を前記被写体の方向へ反射する傾斜面又は曲面を有する反射部を備えることを特徴とする。
【００２２】
本発明に係る写真撮影装置は、本発明に係るクロマキー合成用背景装置を備えることを特徴とする。
【００２３】
本発明に係る写真撮影方法は、本発明に係るクロマキー合成用背景装置を背景にして被写体を撮影することを特徴とする。
【００２４】
本発明にあっては、クロマキー用背景部を傾斜面又は曲面で構成し、光源からの光をクロマキー用背景部で反射又は透過して被写体の方向へ屈折する構成としたので、被写体の背面側から照射する照明光を均一化したクロマキー合成用背景装置となる。また、本発明にあっては、光源からの光を傾斜面又は曲面で構成した反射板により反射し、クロマキー用背景部を透過させる構成としたので、被写体の背面側から照射する照明光を均一化したクロマキー合成用背景装置となる。
【００２５】
本発明にあっては、占有面積の小さい、小型化したクロマキー合成用背景装置を備える写真撮影装置としたので、小型でクロマキー合成を精度よく行える写真撮影装置となる。また、本発明にあっては、被写体の背面から均一な照明光を照射することができる小型化したクロマキー合成用背景装置を背景にして被写体を撮影する写真撮影方法としたので、小型化したクロマキー合成用背景装置を用いて精度のよいクロマキー合成が可能な写真撮影方法となる。
【発明の効果】
【００２６】
本発明にあっては、クロマキー用背景部を傾斜面又は曲面で構成し、光源からの光がクロマキー用背景部で反射又は透過して被写体の方向へ屈折する構成とすることにより、被写体の背面側から照射する照明光を均一化するので、クロマキー合成の精度を落とさずに、装置の奥行きを小さくでき、占有面積を小さくして小型化したクロマキー合成用背景装置を提供することができる。
【００２７】
また、本発明にあっては、光源からの光を傾斜面又は曲面で構成した反射板により反射し、クロマキー用背景部を透過させる構成とすることにより、被写体の背面側から照射する照明光を均一化するので、クロマキー合成の精度を落とさずに、占有面積を小さくして小型化したクロマキー合成用背景装置を提供することができる。
【００２８】
また、本発明にあっては、クロマキー用背景部と光源の構成が簡単であり、特殊なクロマキー用背景部と光源を必要としないから、低コストで、消費電力の少ないクロマキー合成用背景装置を提供することができる。また、簡単な構造で均一性のよい照明光を被写体の背面側から照射することができるので、精度よくクロマキー合成を行うことができる。
【００２９】
また、本発明にあっては、占有面積の小さい、小型化したクロマキー合成用背景装置を備える写真撮影装置とすることにより、小型でクロマキー合成を精度よく行える写真撮影装置を提供することができる。また、本発明にあっては、被写体の背面から均一な照明光を照射することができる小型化したクロマキー合成用背景装置を背景にして被写体を撮影する写真撮影方法とするので、小型化したクロマキー合成用背景装置を用いて精度のよいクロマキー合成が可能な写真撮影方法を提供することができる。
【発明を実施するための最良の形態】
【００３０】
以下、本発明をその実施の形態を示す図面に基づいて説明する。
【００３１】
＜実施の形態１＞
図１は本発明の実施の形態１に係るクロマキー合成用背景装置の説明図である。同図（ａ）はクロマキー合成用背景装置の概略斜視図、（ｂ）はクロマキー合成用背景装置の変形例の概略側面図、（ｃ）は光源からの光を効果的に利用するための光源遮蔽板の例を示す概略側面図である。
【００３２】
同図（ａ）において、１はクロマキー合成用背景装置であり、背面支持部２、クロマキー用背景部３、４、光源７、９などを主要な構成とする。背面支持部２は、例えば構造体としてのフレーム、壁板などで構成され、クロマキー合成用背景装置１を備える写真撮影装置（不図示）の撮影空間の外壁などと兼用することができ、写真撮影装置のフレーム、壁板などと連結して適宜一体化することができる。なお、クロマキー用背景部３、４は図示した形状に限らず、光源７、９からの光を被写体（不図示）の方向へ屈折する傾斜面又は曲面を有するものであればよい。また、色その他の光学特性は使用目的に合わせて適宜設定すればよい。なお、クロマキー合成を施さない場合のためにクロマキー用背景部３、４の前面（被写体側）に通常の背景画面を構成するカーテンなどを設ける構成とすることも可能である。
【００３３】
クロマキー用背景部３、４は、例えばパネルのような剛性のある板状部材、布地、ビニール地などのような可撓性のある膜状部材で構成できる。ここではパネルを用いた形状のものを示す。説明の便宜上、上側のパネルをクロマキー用背景部３とし、下側のパネルをクロマキー用背景部４とするが、一体化（中央折型）したものでも、分割（２分割型）したものでもいずれでもよい。クロマキー用背景部３の上側部は、背面支持部２の上端部に取り付けて保持され、クロマキー用背景部４の下側部は、背面支持部２の下端部に取り付けられて保持される。クロマキー用背景部３の下端及びクロマキー用背景部４の上端は背面支持部２から延在して設けられた支持部５により相互に接合支持され、被写体側に凸状となる頂部５Ｔを形成する。
【００３４】
つまり、クロマキー用背景部３、４は、それぞれ傾斜面を有する。頂部５Ｔはクロマキー用背景部３、４の形状に従って水平方向に延在する。また、頂部５Ｔはクロマキー用背景部３、４の接合部分がクロマキー合成の品質に影響を与えないように滑らかな形状となるように加工される。クロマキー用背景部３、４として膜状部材を用いた場合には支持部５によりテント状に張力を掛けるようにして構成すればよい。膜状部材を用いた場合には、パネルを用いた場合に比較して軽量化が可能となる。
【００３５】
クロマキー用背景部３の上側部の近傍には照明ボックス６が水平方向に配置され、照明ボックス６には下向きに光を放出する例えば蛍光灯のような線状の光源７が備えられる。光源７からの光７Ｌはクロマキー用背景部３で反射されることにより被写体の方向に屈折される。光源７は蛍光灯に限らず、同期して発光可能なストロボ発光体であってもよく、以下の実施の形態においても適宜に適用できるものである。クロマキー用背景部４の下側部の近傍には照明ボックス８が水平方向に配置され、照明ボックス８には上向きに光を放出する例えば蛍光灯のような線状の光源９が備えられる。光源９からの光９Ｌはクロマキー用背景部４で反射されることにより被写体の方向に屈折される。つまり、クロマキー用背景部３、４を反射型とし、光反射性の優れた素材で構成することにより精度の高いクロマキー合成が可能となる。なお、照明ボックス８の上面には保護用の透光性カバー８Ｔが設けてある。照明ボックス６、８及び光源７、９は以下の実施の形態においても適宜に適用できるものである。
【００３６】
背面支持部２とクロマキー用背景部３、４とで構成される側部には側壁１０が形成され、異物などの混入を防止し、また、構造上の安定性を確保する。なお、本実施の形態では照明ボックス６、８（光源７、９）を上下２つに分割して構成することから、クロマキー用背景部３、４からの反射光である光７Ｌ、９Ｌをより均一化できる。
【００３７】
同図（ｂ）において、１１は曲面（例えば円弧状）を有するクロマキー用背景部である。クロマキー用背景部１１（円弧型）の上側部、下側部はそれぞれ背面支持部２により固定され、垂直方向の中央部に支持部５により形成された頂部５Ｔを有する。頂部５Ｔは被写体方向に凸状となり、水平方向に延在する。クロマキー用背景部１１を一体物で構成すれば、クロマキー用背景部３、４を分割型にした場合に必要であった頂部５Ｔでの接合が不要となり、また接合部が形成する線によるクロマキー合成の品質を落とすことがない。照明ボックス６、８及び光源７、９の作用は同図（ａ）の場合と同様であり説明は省略する。なお、クロマキー用背景部１１の曲率は撮影空間の大きさなどを考慮して適宜設定すればよい。なお、曲面で構成したクロマキー用背景部１１は以下の実施の形態においても適宜に適用できるものである。
【００３８】
同図（ｃ）において、７Ｓは光源７からの光を効率よくクロマキー用背景部３へ照射するために光源７の後側に設けた遮蔽板であり、９Ｓは光源９からの光を効率よくクロマキー用背景部４へ照射するために光源９の後側に設けた遮蔽板である。光源クロマキー用背景部３、４への照射を効率よく行うことから、クロマキー用背景部３、４による被写体方向への反射光の輝度を更に向上することができるので、クロマキー合成の品質をさらに向上できる。なお、遮蔽板７Ｓ、９Ｓは以下の実施の形態においても適宜に適用できるものであり、形状等は適宜設計すればよい。
【００３９】
＜実施の形態２＞
図２は本発明の実施の形態２に係るクロマキー合成用背景装置の概略斜視図である。基本的には実施の形態１と同様であり、同一部分には同一符号を付して詳細な説明は適宜省略する。本実施の形態に係るクロマキー合成用背景装置１は、実施の形態１と同様に配置したクロマキー用背景部３、４を備える。背面支持部２の垂直方向の中央部から被写体の方向に延在した支持部５の上下に水平方向に配置された照明ボックス６、８を備える。支持部５の上面に配置された照明ボックス６には光源７が備えられ、支持部５の下面に配置された照明ボックス８には光源９（不図示）が備えられる。光源７からの光７Ｌは、上方に照射され、上側に配置されたクロマキー用背景部３を透過するときに被写体の方向へ屈折され、光源９からの光９Ｌは、下方に照射され、下側に配置されたクロマキー用背景部４を透過して、被写体の方向へ屈折される構成としておく。
【００４０】
なお、実施の形態１のクロマキー用背景部３、４は光反射性を有するのに対し、本実施の形態でのクロマキー用背景部３、４は光透光性を持たせている。つまり、クロマキー用背景部３、４を透過型としたものである。光透過性に加えて光散乱性（光拡散性）を持たせることで更に均一な光を被写体の方向へ照射することができ、効率よく精度の高いクロマキー合成が可能となる。また、本実施の形態においても、クロマキー用背景部３、４を円弧状のクロマキー用背景部１１（実施の形態１参照）と同様な構成としてもよい。なお、本実施の形態では光源を中央に集約することができ、照明ボックス６、８（光源７、９）の構造を簡略化できる。また、照明ボックス６、８（光源７、９）を一つにして上下両方向へ光を放射する形態にすれば更に低電力化を図ることができる。
【００４１】
＜実施の形態３＞
図３は本発明の実施の形態３に係るクロマキー合成用背景装置の概略斜視図である。基本的には実施の形態１、２と同様であり、同一部分には同一符号を付して詳細な説明は適宜省略する。本実施の形態に係るクロマキー合成用背景装置１は、実施の形態１での配置方向を９０度変換して配置したクロマキー用背景部１２、１３を備える。説明の便宜上、右側のパネルをクロマキー用背景部１２とし、左側のパネルをクロマキー用背景部１３とするが、一体化したものでも、分割したものでもいずれでもよい。クロマキー用背景部１２の右側部は、背面支持部２の右端部に取り付けて保持され、クロマキー用背景部１３の左側部は、背面支持部２の左端部に取り付けられて保持される。クロマキー用背景部１２の左端及びクロマキー用背景部１３の右端は背面支持部２から延在して設けられた支持部５により相互に接合支持され、被写体側に凸状となる頂部５Ｔを形成する。
【００４２】
クロマキー用背景部１２の右側部の近傍には照明ボックス１４が垂直方向に配置され、照明ボックス１４には左向きに光を放出する例えば蛍光灯のような線状の光源１５が備えられる。光源１５からの光１５Ｌはクロマキー用背景部１２で反射されることにより被写体の方向に屈折される。クロマキー用背景部１３の左側部の近傍には照明ボックス１６が垂直方向に配置され、照明ボックス１６には右向きに光を放出する例えば蛍光灯のような線状の光源１７が備えられる。光源１７からの光１７Ｌはクロマキー用背景部１３で反射されることにより被写体の方向に屈折される。
【００４３】
本実施の形態においても、変形例として実施の形態１で示したクロマキー用背景部１１のような曲面で構成したものを適用してもよい。つまり、クロマキー用背景部１１の配置方向を９０度変換して立設配置すればよい。また、別の変形例として照明ボックス１４、１６（光源１５、１７）を支持部５の左右両面に設け、実施の形態２で示したように、クロマキー用背景部１２、１３に光透過性を持たせた形態としてもよい。なお、本実施の形態では照明ボックス１４、１６（光源１５、１７）を左右に配置することから光源１５、１７の取り扱いが簡単になり、メンテナンス性が向上する。また、床側に配置することがないので汚れなどを防止することができる。
【００４４】
＜実施の形態４＞
図４は本発明の実施の形態４に係るクロマキー合成用背景装置の概略側面図である。同図（ａ）はクロマキー用背景部を単一方向の傾斜面のみで構成したクロマキー合成用背景装置の概略側面図、（ｂ）はクロマキー用背景部を単一方向の曲面のみで構成したクロマキー合成用背景装置の概略側面図である。つまり、被写体方向に凸状に形成される頂部を有しないクロマキー用背景部で構成したクロマキー合成用背景装置としたものである。基本的には実施の形態１ないし３と同様であり、同一部分には同一符号を付して詳細な説明は適宜省略する。
【００４５】
同図（ａ）において、クロマキー用背景部１８は、単一方向にのみ傾斜する傾斜面を有する。つまり、クロマキー用背景部１８の上側部は背面支持部２の上端部に取り付けて保持され、クロマキー用背景部１８の下側部は背面支持部２から所定の間隔離した位置に配置される。なお、クロマキー用背景部１８の下側部は可動型として適宜反射光の反射方向を写真撮影装置の状況に応じて調整可能とすることもできる。
【００４６】
照明ボックス１９はクロマキー用背景部１８の上側部の近傍に水平方向に配置される。照明ボックス１９には下向きに光を放出する光源２０ａ及び光源２０ｂが備えられる。背面支持部２に近い側に設けられた光源２０ａは、主にクロマキー用背景部１８の上側へ光を照射し、背面支持部２から遠い側に設けられた光源２０ｂは、主にクロマキー用背景部１８の上側へ光を照射するように構成する。このような指向性の制御は例えば実施の形態１で説明した遮蔽板（７Ｓ、９Ｓ）を用いて施すことができる。また、光源２０ｂの照度を光源２０ａの照度より大きくすれば、クロマキー用背景部１８で被写体の方向へ反射する光源２０ａ、２０ｂからの光２０Ｌの均一性を向上することができる。
【００４７】
変形例として、天地を逆にしたものも可能であるが、照明ボックス１９（光源２０ａ、光源２０ｂ）への埃などを考慮すれば照明ボックス１９は上部にある方が好ましい。また、その他の変形例として、照明ボックス１９を背面支持部２とクロマキー用背景部１８との間に配置して、クロマキー用背景部１８を透過型にすることも可能である。
【００４８】
同図（ｂ）において、クロマキー用背景部２１は、単一方向にのみ曲率を有する曲面で構成される。つまり、クロマキー用背景部２１の上側部は背面支持部２の上端部に取り付けて保持され、クロマキー用背景部２１の下側部２１ａは背面支持部２から所定の間隔離した位置に配置される。また、下側部２１ａは光２０Ｌの均一性（集光性）を向上するように下側の方ほど曲率を大きくしている。曲率の大きさは、光２０Ｌの均一性、集光性を考慮して適宜設計可能である。その他の構成は同図（ａ）の場合と同様である。なお、本実施の形態では照明ボックス１９（光源２０ａ、２０ｂ）を上下左右いずれか一方にのみ配置するので、光源構造を簡略化することができ、またクロマキー用背景部２１の構造を簡略化することができる。
【００４９】
＜実施の形態５＞
図５は本発明の実施の形態５に係るクロマキー合成用背景装置の概略側面図である。クロマキー合成用背景装置１は、背面支持部２、背面支持部２に対向して被写体側に設けられた平面状のクロマキー用背景部２２、照明ボックス６、８に設けられた光源７、９、背面支持部２とクロマキー用背景部２２で構成される空間に配置された反射部２３などを主要な構成とする。つまり、背面支持部２、照明ボックス６、８、光源７、９は他の実施の形態と同様である。クロマキー用背景部２２はパネルを用いた形状のものを示すが、他の実施の形態の場合と同様に膜状部材を用いてもよいことは言うまでもない。なお、本実施の形態では反射部２３を用いることから、クロマキー用背景部２２は平面状のものでよく、クロマキー用背景部２２の構造を簡略化することができる。クロマキー用背景部２２によりクロマキー合成用背景装置１の内部を保護させることができ安全性が向上する。
【００５０】
反射部２３は背面支持部２の上側部に上端を、背面支持部２の下側部に下端をそれぞれ取り付けられる。また、反射部２３の垂直方向の中央部は被写体の方向に凸状に張り出され、光源７、９からの光７Ｌ、９Ｌを被写体の方向へ反射（屈折）する構成とされる。クロマキー用背景部２２は反射部２３により反射された光７Ｌ、９Ｌを被写体に照射するために透過することが必要であるから実施の形態２の場合と同様に透光性（さらには拡散性）を有するものとする。光源７、９からの光７Ｌ、９Ｌは反射部２３を介してクロマキー用背景部２２から被写体に照射されることから、光源７、９とクロマキー用背景部２２との間隔を十分に確保でき、均一性のある光７Ｌ、９Ｌを被写体に照射できるので、他の実施の形態と同様な効果を得ることができる。なお、反射部２３は傾斜面を有するパネル状のものとして示すがこれに限らず膜状部材を用いてもよく、また、曲面を有するものでもよいことは言うまでもない。
【００５１】
＜実施の形態６＞
図６は本発明の実施の形態６に係る写真撮影装置の概略側面図である。図において、３０は写真撮影装置（写真自動販売機）であり、後述するコンピュータ６０（図９参照）などの各種制御機器を収納する筐体３１、筐体３１から延長して設けられた天井フレーム３２、天井フレーム３２によりスペースを画定される撮影空間３３及び編集空間３４を備え、更に本発明に係るクロマキー合成用背景装置１を備える。撮影空間３３は被写体としてのユーザ３６が入場でき、撮影手段（不図示）との間で必要な距離を確保できるように筐体３１とクロマキー合成用背景装置１との間に適宜なスペースで構成してある。クロマキー合成用背景装置１は実施の形態１ないし実施の形態５で説明したものが適用できるが、これら具体例に限らないことは言うまでもない。また、クロマキー合成用背景装置１はクロマキー合成以外の背景処理をする場合に必要に応じた適宜の背景装置となることができるように構成してもよいことは言うまでもない。
【００５２】
写真撮影装置３０は、大きく分けて撮影操作を行う側の撮影空間３３と、撮影により得られた画像（撮影画像）にいわゆるお絵描き、落書きと言われる、ペンによる画像やテキストなどの入力である編集操作を行う側の編集空間３４とを対にして備えている。これらの空間（領域）は、筐体３１、及びその他を形成するパネル（壁面）とフレーム材（構造材）とにより区分されるが、図示した配置に限るものではない。被写体であるユーザ３６は、撮影空間３３内に入り、筐体３１に相対する向きで撮影を行う。なお、以降の説明において、便宜上、筐体３１撮影操作側の面を正面とし、お絵描き操作側の面を背面とする。また、ユーザ３６が撮影空間３３内に出入りできるように側面は開けられているが、ユーザ３６（利用者）のプライバシーに配慮するため、また、外部光を遮断するためなどの目的で、サイドカーテン（不図示）が備えらえている。
【００５３】
図７は本発明の実施の形態６に係る写真撮影装置を撮影空間側から見た斜視図である。図６と同一部分には同一符号を付して詳細な説明は省略する。筐体３１の正面には、カメラ４１と、カメラ４１で撮影することによって取得される撮影画像（被写体及び背景）をリアルタイムで表示し、ユーザ（被写体）に撮影画像を目視確認させるためのライブモニタ４２と、ＢＧＭ、操作方法などのアナウンスを出力するスピーカ４３と、デモ画面や撮影中の操作手順などを表示するディスプレイ４４と、対価である硬貨を投入するためのコイン投入口４５と、筐体３１に収容された各種制御機器のメンテナンスなどを行うためのフロントドア４６と、ユーザ３６からの操作を受付ける操作部４７とが備えられる。
【００５４】
カメラ４１は、一般的にデジタルカメラが用いられ、設定できる項目（たとえばシャッタースピード、絞り値、露出補正、ホワイトバランスなど）の設定、変更、撮影タイミングは、操作部４７からの入力又は予め設定されたデータが後述するコンピュータを介して出力され、制御される。筐体３１のカメラ４１の周囲には、蛍光灯やフラッシュ発光体などを内蔵し、被写体の照明を行うための撮影用の照明ボックス４８が備えられている。また、筐体３１には、筐体３１の内部の熱を逃がすためのファンや、外部装置への画像の配信、リモートメンテナンスなどの、外部装置との通信を行うときにケーブルを差込むためのＬＡＮ（Local  Area  Network）ケーブル差込口などが備えられていることが好ましい。
【００５５】
クロマキー合成用背景装置１はクロマキー合成以外の背景処理をすることが可能な構成としてある。例えば、撮影時の背景として適用できる様々な色や柄の背景媒体（不図示）が配備される。背景媒体は巻き上げ式、引き出し式などで構成され、ユーザ３６の手動操作によりセットされてもよいし、操作部４７を操作することで自動でセットされてもよい。クロマキー合成をするときには、特定の色（通常は青色、又は緑色が利用されるがこれに限るものではない。）を施されたクロマキー用背景部が被写体の後方から被写体に光を照射することができる構成とすることにより、被写体の周囲の影を低減して高精度のクロマキー合成をすることができる。
【００５６】
図８は本発明の実施の形態６に係る写真撮影装置を編集空間側から見た斜視図である。図６と同一部分には同一符号を付して詳細な説明は省略する。筐体３１の背面には、撮影により得られた画像（撮影画像）を表示し、撮影画像の編集を受付けるタブレットディスプレイ５１と、画像入力を行うためのタッチペン５２と、ユーザに対し音楽や操作方法の説明などを音声で出力するスピーカ５３とが備えられ、編集空間３４を形成している。ユーザは編集空間３４において、撮影画像に、いわゆるお絵描きと呼ばれるスタンプ画像やテキストなどをペン入力する操作を行う。
【００５７】
筐体３１の側面には、箱型の形状をしたプリント取出口５４が備えられる。筐体３１の内部には後述するプリンタ６６（図９参照）が備えられ、プリンタ６６でプリントされた写真が排出され、プリント取出口５４に落とされる。なお、プリント取出口５４付近には、印刷ＬＥＤ（Light  Emitting  Diode）５５及び印刷エラーＬＥＤ５６が備えられ、これらが点灯又は点滅することによって、印刷中であることの通知、又は印刷中での用紙切れ、インク切れ、用紙詰り、メカニカルエラーなどのエラーが発生していることの通知を行う。
【００５８】
プリンタ６６は、編集された撮影画像を紙、シール、金属、又はプラスチックなどの各種の印刷媒体に印刷するための機能を備え、昇華型プリンタやサーモオートクローム方式（光定着型直接感熱記録方式）等のプリンタが一般的に用いられる。なお、以下の説明ではプリンタ６６でシールが印刷されるものとして説明を行うが、印刷媒体はシールに限定されず、他の印刷媒体であっても同様の処理が実行される。
【００５９】
図９は本発明の実施の形態６に係る写真撮影装置の概略機能ブロック図である。写真撮影装置３０は、各機能動作のための演算、制御の中心部となるコンピュータ６０、コンピュータ６０からの指示を受けて接続してある各種装置を制御、駆動する制御部７０を備える。
【００６０】
コンピュータ６０は、コンピュータ６０の中心部として演算処理を行う演算装置であるＣＰＵ（Central  Processing  Unit）６１と、演算処理を実行するためのプログラム及びプログラムに必要なグラフィックデータ、音声データ、撮影画像や撮影画像に対して入力、編集を施した編集画像その他の各種画像などを記憶する記憶装置６４と、プログラムの一時的な記憶作業領域ともなるメモリ６２と、カメラ４１、プリンタ６６、タブレットディスプレイ５１などの周辺機器を制御するための信号を生成する制御用ソフトウェアを含むドライバ６３と、ＬＡＮケーブル７３を介して外部機器と接続された場合に通信を行う通信部６５とを含む。プリンタ６６はカメラ４１により撮影した撮影画像、又は編集した編集画像などを、例えばシールなどの印刷媒体６６Ｐの形態で画像として提供する。編集作業はタッチペン５２からのタブレットディスプレイ５１への入力により行われる。
【００６１】
コンピュータ６０は、電源の投入及び切断を制御する電源スイッチ６７が押され、商用の交流電源ＡＣが投入されると、プログラムが起動されて動作を開始する。また、ディスプレイ４４には、写真撮影装置３０の操作方法、クロマキー合成を行うときのクロマキー合成用背景部の操作方法（選定方法）、その他の指示などが適宜表示され写真撮影装置３０の操作性を向上する構成としてある。カメラ４１で撮影された撮影画像は、ライブモニタ４２によりリアルタイムで表示される構成としてユーザが好みに応じた姿勢を保持できるようにする。
【００６２】
電源スイッチ６７を介して供給された交流電源ＡＣは電源制御部６９により、照明装置６８などの電源を必要とする各部用の定格電力を発生し、各部への電力供給を制御し、各部へ安定した所定の電力を供給する（図では電力供給の配線は適宜省略する。）。なお、電源切断によりコンピュータ６０で動作しているプログラムを強制的に終了させることは、動作を不安定にさせる原因となるから、電源が切断されても、しばらくはＵＰＳ（Uninterrupted  Power  Supply）７４が電源をバックアップして、コンピュータ６０に停電信号を送信する。その間に、コンピュータ６０はプログラムの終了の手続を行ない、プログラムを正常に終了させる。
【００６３】
制御部７０は、サービスパネル７１から制御信号を受付ける。サービスパネル７１は、投入されたコインの枚数をカウントするコインカウンタ、印刷されたプリントの枚数をカウントするプリントカウンタ、スピーカ４３、５３から出力する音声のボリュームを調整する音量調整つまみ、テストモードを行うためのテストボタン、コインを投入しなくても装置が利用できるようにするためのサービスボタン等を備えるパネル（制御基板）であって、写真撮影装置３０の設置者が各種設定やメンテナンスの操作を行う際に用いる。また、制御部７０は、操作部４７、サービスパネル７１、コイン制御部７２からの信号を受付けコンピュータ６０に通知したり、逆に、コンピュータ６０からの制御信号（指示コマンドなど）によりサービスパネル７１、フラッシュ制御部７５、フラッシュ７６、コイン制御部７２、印刷中ＬＥＤ５５、印刷エラーＬＥＤ５６、スピーカ４３、５３を制御したりする。
【００６４】
コイン制御部７２は、コイン投入口４５に投入されたコインの正当性を検出し、コインが投入された信号を制御部７０に送る。逆に、コイン投入を禁止するときは、コイン制御部７２は制御部７０からの信号により、コインが投入されないようにコイン投入口４５をブロックすることができる。サービスパネル７１は、テストボタン、サービスボタンが押下された場合の信号を制御部７０に送る。逆に、制御部７０からの信号により、コインカウンタ、プリントカウンタを動作させる（例えばカウンタを１インクリメントする）。また、コンピュータ６０から出力される音声は、サービスパネル７１上の音量調整つまみで調整された音量でスピーカ４３、５３から出力される。
【００６５】
操作部４７は、操作部４７への操作により生成された入力信号を制御部７０に送る。この入力信号はコンピュータ６０に送信され、コンピュータ６０では、入力信号（操作内容）に応じた処理が行なわれる。また、プリンタ６６の状態がコンピュータ６０に通知され、コンピュータ６０は、その状態に応じて制御部７０にプリンタ状態信号を送出する。プリンタ状態信号によって、印刷中ＬＥＤ５５又は印刷エラーＬＥＤ５６が点灯又は点滅する。
【００６６】
なお、言うまでもなく、写真撮影装置３０の形態は図６〜図９に示される具体例に限定されるものではない。すなわち、図６〜図９に記載されない他の機能が備えられていてもよいし、図６〜図９に記載されている機能の全てを必須の要件とするものでもない。例えば、プリンタ６６は写真撮影装置３０に含まれていなくてもよく、その場合、写真撮影装置３０は、ＬＡＮケーブル７３等の専用回線や無線通信等を介して印刷制御信号を写真撮影装置３０の外部にあるプリンタに出力するものとする。
【００６７】
図１０は本発明の実施の形態６に係る写真撮影装置の概略処理動作を示すフローチャートである。以下に、図６〜図９で用いた各部の符合を用いて動作を説明する。この処理フローは、コンピュータ６０のＣＰＵ６１が、記憶装置６４に記憶されているプログラムをメモリ６２に読出して実行することによって実現される。
【００６８】
電源スイッチ６７がオン状態にされると、各種装置に電力が供給され、コンピュータ６０の記憶装置６４に格納された動作プログラムが起動する。コンピュータ６０は、各種装置が正常に接続されているかチェックし、初期化が必要な装置に対しては初期化を行う。その後、写真撮影装置３０の利用を促すタイトルデモをディスプレイ４４に表示し、同時に音声をスピーカ４３から出力する（Ｓ１００）。
【００６９】
タイトルデモが表示されている状態（タイトルデモ表示中）で、テストボタンを押下する（Ｓ１０５：ＹＥＳ）ことによって、写真撮影装置３０のメンテナンスを行うためのテストモードが起動することができる（Ｓ１１０）。テストモードは、写真撮影装置３０の設置者が写真撮影装置３０を操作するためのモードであり、このモードにおいては写真撮影装置の利用状況（たとえばコイン投入数など）の確認や、カメラ４１、プリンタ６６など周辺機器の調整ができる。ここで写真撮影装置３０の設置者とは、写真撮影装置３０を設置し営業を行っている店舗などの経営者、管理者、及び従業員であり、営業中に、利用者に適宜の対応をすることができる者である。
【００７０】
タイトルデモ表示中でテストボタンが押下されない場合（Ｓ１０５：ＮＯ）は、コイン投入口４５において、写真撮影装置３０を利用するためのコインの投入を受付け、対価受領したか否かを判定する（Ｓ１１５）。対価を受領しない場合（Ｓ１１５：ＮＯ）には、Ｓ１００へ戻る。ステップＳ１１５で受付けたコインは、コイン制御部７２において正当性や枚数等が検知され、正常にコインを受付け、対価を受領したと判定された場合（Ｓ１１５：ＹＥＳ）には、次のステップＳ１２０へ進み、いわゆるプレイが開始される。
【００７１】
写真撮影装置３０における処理（プレイ）は、まず、撮影から始まる。カメラ４１が取得する画像（撮影画像）を、ライブモニタ４２にリアルタイムで表示する。ユーザ３６は、ライブモニタ４２に表示される撮影画像を見ながら、好みの表情やポーズをとることができる。なお、ここではカメラ４１が取得した撮影画像をそのままライブモニタ４２に表示してもかまわないし、左右に反転処理して表示してもかまわない。左右に反転処理して表示した場合、ユーザ３６の姿を鏡に写す方向と同じ方向でライブモニタ４２に表示することができる。そのため、ユーザ３６は、ライブモニタ４２を見ながら好みの表情やポーズをとることが容易になる。
【００７２】
なお、本実施の形態においては、背景となる部分はクロマキー合成用背景装置１とすることから、クロマキー合成をした画面の表示が可能であり、背景デザインをライブモニタ、あるいは操作用のディスプレイに被写体であるユーザ３６と同時に表示しながら撮影を行ってもよい。このとき操作部４７で背景デザインを自由に選択可能にすると、背景デザインにあわせてポーズをとることができるため、できあがりを意識した撮影が可能となる。
【００７３】
次に、撮影方法に複数のモードがある場合は、その選択肢を操作用のディスプレイ４４に表示（掲示）し、操作部４７のボタン等で好みの撮影モードをユーザ３６に選択させる（Ｓ１２０）。そして、選択された撮影モードで撮影を開始する（Ｓ１３０）。
また、ここでは、撮影モードだけでなく、ディスプレイ４４に表示される操作画面及びスピーカ４３から流れる音声に従って、クロマキー合成用背景装置１を適宜の背景媒体とする選択をしたり、カメラ４１を好みの位置に移動させたり、カメラ４１を回転、又は向きを調整したりすることができる。これらの指示は、操作部４７などで受付ける。さらに、カメラ４１の近傍などにカメラ４１の向きやズーム等の指示を行うボタンなどが備えられる場合には、それによってカメラ４１の向きやズーム等の指示を受付ける。そして、受付けた撮影モードや背景媒体などで撮影が行われる。
【００７４】
撮影は、時間経過とともに「３、２、１」などのカウントダウンをディスプレイ４４、又はスピーカ４３に出力して自動で行うことができる。また、カメラ４１の近傍に設けられた撮影ボタン（図示せず）を押下することで行ってもよい。撮影は、コンピュータ６０からカメラ４１に撮影信号が送信されることでシャッタが切られ、実行される。このような撮影を規定回数になるまで（Ｓ１３５：ＹＥＳ）繰返し行う。
【００７５】
撮影が規定回数に到達すると（Ｓ１３５：ＮＯ）撮影が終了し、ユーザ３６に対して、編集空間３４へ移動するように促がす案内をディスプレイ４４に表示する。案内に従って、ユーザ３６は編集空間３４へ移動する。そして、以降のユーザ３６の操作は、編集空間３４で行われる。
【００７６】
次に、撮影画像をタブレットディスプレイ５１に全て表示し、その中からユーザ３６が気に入った撮影画像をタッチペン５２のタッチによって受付ける（キープ画像選択）（Ｓ１４０）。ユーザ３６からの選択を受付けると、選択された撮影画像（選択画像）をタブレットディスプレイ５１に表示する。さらに、選択画像自体の明るさ調整（ハイキー調整、）、回転などの画像処理を行う画面（画質選択）が表示され、ユーザ３６の好みにより選択画像を調整又は加工することができる（Ｓ１４５）。次に、選択画像に対して、ユーザ３６からタッチペン５２により編集入力を受付け、適宜編集を行わせる（Ｓ１５０）。また、この際、スピーカ５３から適宜音声による出力をして操作性（編集効率）を向上することができる。
【００７７】
編集入力中、タブレットディスプレイ５１は、編集入力対象とする選択画像を切換えるためのボタンや、各画像を切換えて編集を行うための編集ツールである、「フレーム」「ライン」「スタンプ」「ペン」「背景」、編集入力したスタンプ画像などの編集用画像を消すための「けしごむ」、入力操作を１つ前の状態に戻すための「ひとつもどる」、画像入力を最初からやり直すための「はじめから」、などのボタンを表示する。ユーザ３６は、これらのボタンをタッチペン５２で押すことで使用するツールを選択する。さらに、色、柄などを選択した後、編集入力対象の選択画像が表示された編集入力領域上で編集入力を行う。編集中には、選択画像と編集入力された編集用画像とをそれぞれ別の画層（レイヤ）に展開し、タブレットディスプレイ５１上にそれら画層を重ねて表示する。それぞれの画層のどちらを上に表示するかは、用途により設定されている。例えば、編集用画像を選択画像の前景画像とする場合には、編集用画像が上の画層となる。
【００７８】
また、「背景」などを選択画像の後景画像とする場合には、編集用画像が下の画層となる。より具体的には、編集ツールの「背景」が選択されると、背景デザインを選択する画面を表示する。背景デザインを選択する画面において、ユーザ３６がタッチペン５２で所望の背景デザインを選択する。さらに、背景デザインを選択した状態で、タッチペン５２をタブレットディスプレイ５１上にタッチすると、被写体以外のクロマキー合成用特定色としての青色又は緑色の部分がクロマキー合成によって置換され、選択した背景デザインに基づく背景画像が入力される。さらに編集入力された編集用画像は、背景画像の層、スタンプ画像の層、フレーム画像の層など、それぞれ複数の画層で構成されていてもよい。編集入力時間は、予め設定されている。そして、タブレットディスプレイ５１上に残り時間を表示し、カウントダウンを行う。残り時間が０になると編集入力が終了する。又は、画面に用意された「終了」ボタンを押すことで強制的に終了させることもできる。
【００７９】
編集入力が終了すると、撮影画像（選択画像）と編集用画像とを合成し、合成により得られた合成画像をタブレットディスプレイ５１に表示する。そして、ユーザ３６から、シール等の印刷媒体６６Ｐに印刷する合成画像（印刷画像）の選択を受付ける（Ｓ１６０）。また、編集入力に失敗した画像などを印刷しないような選択を受付けることもできる。そして、選択された合成画像の枚数に応じて、予め決められた複数の印刷レイアウトをタブレットディスプレイ５１に表示し、ユーザ３６から印刷レイアウトの選択を受付ける（Ｓ１７０）。
【００８０】
印刷する合成画像の選択と印刷レイアウトの選択とを受付けると、選択された印刷レイアウトにしたがって生成された印刷画像データ（印刷画像）をプリンタ６６に出力する。さらに、ユーザ３６をプリンタ６６の前に誘導するアナウンス（たとえば「シールは右から出るよ！」）をスピーカ５３又はタブレットディスプレイ５１より出力する。そして、プリンタ６６で印刷を実行し（Ｓ１８０）、プリント取出口５４より写真（印刷画像シールなど）をユーザ３６に提供する（Ｓ１９０）。
【００８１】
以上の処理が、１組のユーザ３６が本実施の形態に係る写真撮影装置３０で行うプレイである。そして、上述の処理を終了すると、ステップＳ１００へ戻り、次にコインが投入されるまで、再度タイトルデモをディスプレイ４４（及びスピーカ４３）から出力する。最終の処理が終われば電源をオフにすることによりプログラムは終了する。
【００８２】
なお、本実施の形態では、１組のユーザ３６が利用する形態を説明したが、図６に示すとおり、撮影を行う撮影空間３３と撮影された撮影画像に編集を施す編集空間３４とが異なる場所に設置されていることから、２組の利用者が同時に利用することもできる。この場合、先の利用者が撮影を終了し編集空間３４に移動すると、ディスプレイ４４にはデモ画面が表示され、次の利用者のコイン投入を受付ける。そして、コインが投入されると、次の利用者の撮影が開始される。なお、本本実施の形態では、撮影空間３３と編集空間３４とを異なる位置に設けるように説明したが、これに限定されるものではなく、１つの空間において、撮影及び編集が行われるようにしてもよい。
【００８３】
また、このように２組の利用者が同時に利用する場合に、撮影や編集等の操作を制御するコンピュータ６０が１台では処理に負荷がかかってしまう場合もある。このため、撮影側の制御を行うコンピュータ（６０）と編集側の操作を制御するコンピュータ（６０）とをそれぞれ別個に設け、利用者の操作性を向上させることもできる。この場合、図９に示す機能ブロック図において、カメラ４１、ライブモニタ４２など撮影にのみ必要なものは撮影側のコンピュータ（６０）に接続されて制御され、タブレットディスプレイ５１、プリンタ６６など編集にのみ必要なものは編集側のコンピュータ（６０）に接続されて制御される。また、制御部７０、操作部４７、及びサービスパネル７１など両方の操作に必要なものは、機能を分割して撮影側と編集側とのそれぞれのコンピュータ装置に接続されて制御されてもよいし、どちらか一方のコンピュータ装置に接続されて制御されてもよい。
【００８４】
さらに、写真撮影装置３０のコンピュータ６０の制御方法を、プログラムとして提供することもできる。このようなプログラムは、コンピュータに付属するフレキシブルディスク、ＣＤ−ＲＯＭ（Compact  Disc-Read  Only  Memory）、ＲＯＭ（Read  Only Memory）、ＲＡＭ（Random  Access  Memory）及びメモリカードなどのコンピュータ読取り可能な記録媒体に記録させて、プログラム製品として提供することもできる。あるいは、コンピュータに内蔵するハードディスクなどの記録媒体にて記録させて、プログラムを提供することもできる。また、電気通信回線や衛星通信回線などのネットワークを通じて、プログラムを提供することもできる。提供されるプログラム製品は、ハードディスクなどのプログラム格納部にインストールされて実行される。なお、プログラム製品は、プログラム自体と、プログラムが記録された記録媒体とを含む。
【００８５】
今回開示した本発明に係る実施の形態１〜６は、すべての点で例示であって制限的なものではない。本発明の範囲は上記した説明ではなくて特許請求の範囲によって示され、特許請求の範囲と均等の意味及び範囲内でのすべての変更が含まれる。
【図面の簡単な説明】
【００８６】
【図１】本発明の実施の形態１に係るクロマキー合成用背景装置の説明図である。
【図２】本発明の実施の形態２に係るクロマキー合成用背景装置の概略斜視図である。
【図３】本発明の実施の形態３に係るクロマキー合成用背景装置の概略斜視図である。
【図４】本発明の実施の形態４に係るクロマキー合成用背景装置の概略側面図である。
【図５】本発明の実施の形態５に係るクロマキー合成用背景装置の概略側面図である。
【図６】本発明の実施の形態６に係る写真撮影装置の概略側面図である。
【図７】本発明の実施の形態６に係る写真撮影装置を撮影空間側から見た斜視図である。
【図８】本発明の実施の形態６に係る写真撮影装置を編集空間側から見た斜視図である。
【図９】本発明の実施の形態６に係る写真撮影装置の概略機能ブロック図である。
【図１０】本発明の実施の形態６に係る写真撮影装置の概略処理動作を示すフローチャートである。
【図１１】クロマキー合成用背景装置を備える従来の写真撮影装置の側面概略図である。
【符号の説明】
【００８７】
１  クロマキー合成用背景装置
２  背面支持部
３、４、１１、１２、１３、１８、２１、２２  クロマキー用背景部
５Ｔ  頂部
６、８、１４、１６、１９  照明ボックス
７、９、１５、１７、２０ａ、２０ｂ  光源
７Ｌ、９Ｌ、１５Ｌ、１７Ｌ、２０Ｌ  光
２３  反射部
３０  写真撮影装置
３３  撮影空間
３４  編集空間
３６  ユーザ（被写体）
【図１】
2005167351.tif 000003
【図２】
2005167351.tif 000004
【図３】
2005167351.tif 000005
【図４】
2005167351.tif 000006
【図５】
2005167351.tif 000007
【図６】
2005167351.tif 000008
【図７】
2005167351.tif 000009
【図８】
2005167351.tif 000010
【図９】
2005167351.tif 000011
【図１０】
2005167351.tif 000012
【図１１】
2005167351.tif 000013